(57)【要約】【課題】読書スタンドを使用時に片手でページ捲りを可能にする読書スタンドを提供する。【解決手段】本を固定するため表紙止めバネ板を設け、見開き部分の固定のために糸を使用して見開き部分を止めることにより、本を下向きにし、読者は仰向きにして本を読め、ページ捲りは糸と本の間に片手を入れ、捲ったページはその手で糸の下に導くことが可能となった読書スタンド。【選択図】図１
2016016302.tif 000002
【特許請求の範囲】
【請求項１】
本のサイズをＡ６からＡ４まで対応し、眼から見て読書面は上向き、横向き下向き、本の傾き角度が調整可能で、本を乗せる台座を支える支柱の高さ、支柱から本までの長さを調整することが可能にした読書スタンドにおいて、本台座に表紙を挟み止める表紙留めクリップを装着し、糸状のもので２ヵ所、見開き本に巻き付けて糸を固定し、見開き本のページを片手で捲って読むことを特徴とした読書スタンド。
【請求項２】
請求項１において、見開き本に糸状のものを巻き付けて糸を固定するため、糸の端部を糸縛り棒に通し、筒形ビーズの２個に交互に糸を通してその糸を固定することで、請求項１の見開き本のページを片手で捲って読むことを特徴とした読書スタンド。
【発明の詳細な説明】
【技術分野】
【０００１】  本発明は、読書スタンドの見開きを片手で可能にすることに関するものである。
【背景技術】
【０００２】  従来、読書スタンドをベッドで使用した際、仰向きで本を見るには両手でページを捲り、止めなければならなかった。
【発明の概要】
【発明を解決しようとする課題】
【０００３】  そのために、次のような問題点があった。
本を捲るには、例えば左手でクリップを緩めて、次のページを右手で捲る動作で片手では捲れなかった。本発明は以上の問題点を解決しようとするものである。
【問題を解決するための手段】
【０００４】  本を載せた台座に本の表表紙と裏表紙を固定し、見開き部分の奇数ページと偶数ページをそれぞれ糸状のもので巻いて止め、ページの捲りは糸の下部より次ページを捲り、捲ったページを糸の下に入れることが可能である。
【発明の効果】
【０００５】  本発明は、片手でページを捲ることを可能にしたもので、片手不自由な人にも使用できる。
【図面の簡単な説明】
【０００６】
【図１】本発明の斜視図
【図２】本発明の分解斜視図
【図３】本発明の表紙留めクリップ断面図
【図４】本発明の縦軸断面図
【図５】本発明の横軸断面図
【図６】本発明の平面図
【図７】本発明の本見開き時の斜視図
【図８】本発明の左横向読書時の斜視図
【図９】本発明の仰向き読書時の斜視図
【図１０】本発明の座椅子読書時の斜視図
【発明を実施するための形態】
以下、本発明の実施の形態を説明する。
【０００７】  本台座（１）は矩形平面の板状であり、図４と図５に示すように、矩形平面の板状の下部周辺の３辺に部材を、コの字形に装着する。その一辺は、矩形材とし、その矩形材の両端２辺にＬ形の棒状材を引き出し受け材のように装着固定する。本台座（１）の側面、前述の矩形材のある側に台座側板（２）を装着固定する。本台座（１）の下部にできた空隙に、板状のスライド台座（３）を挿入する。
【０００８】  台座側板（２）の外側に角形糸縛り棒（４）を図１に示すよう、に２ヵ所糸縛り棒金物（５）で装着する。スライド台座（３）の端部に丸形糸縛り棒（６）を図１に示すように２ヵ所糸縛り棒金物（５）で装着する。
【０００９】  スライド台座（３）の側面に図２に示すように、ストッパー溝（８）を数ヵ所設ける。その溝でスライド台座（３）を留めるストッパーを本台座（１）の側面にバネ付ストッパー（７）を装着する。
【００１０】  本台座（１）と台座側板（２）の内角に表紙留めクリップ（１３）を図３に示すように２ヵ所装着固定する。そのために本台座（１）と台座側板（２）の一部を削り落すことになるので前もって削いでおく。
【００１１】  丸形糸縛り棒（６）に、本留め糸（９）を緩めに装着し，その糸に本留め糸ビーズ（１０）を図４に示すように相当数挿入して、移動しないよう装着する。その糸を筒形ビーズ（１１）に挿入して、その糸を角形糸縛り棒（４）と台座側板（２）の隙間に通して一周し、図４に示すように、その糸をもう一個の他の筒形ビーズ（１１）に通す、その糸を前述の筒形ビーズ（１１）に通した反対側から再度挿入する。その糸を図７に示すように輪になる本留め糸補助糸（１２）に通す、次に前述の本留め糸（９）を前述の他の筒形ビーズ（１１）に反対側から通す。糸の端部は抜けないようにすることと、糸締めによいように短冊形の人口革などを付ける。糸の長さはＡ４本を想定して余裕を持たせる。
【００１２】  本発明の本台座（１）の大きさは図６の平面図に示す。Ａ６本の範囲（１８）、Ａ４本の範囲（１９）である。本発明は、以上の構成になっているが、本発明を使用するに当って、読書スタンド全体の最良の形態を述べる。
【００１３】  本発明の本体、図１を読書スタンドとするため、底盤（２０）、支柱（２１）、腕木（２２）、釣木（２３）の構成とし、本発明の本体の台座側板（２）の中央部側面に前述の釣木（２３）を装着固定する。支柱（２１）は本体の高さと水平回転の調整に、中軸を装着する。その固定にバネ付ストッパー（７）を装着する。腕木（２２）は支柱から本体までの長さの調整と本体の垂直面回転の調整に，中軸を装着する。その固定にバネ付ストッパー（７）を装着する。釣木（２３）は本体の水平回転の調整に中軸を装着る。その固定にバネ付ストッパー（７）を装着する。腕木（２２）と釣木（２３）の交点に設ける釣木回転軸（２４）は本体の軸方向の回転調整する。前述の各中軸の数ヵ所に回転誘導のため軸を一周する溝と、その溝の数ヵ所にバネストッパー（７）を留める窪みを設ける。各バネ付きストッパー（７）はバネの作用で、摘まみを引けば自由に中軸が回転し、放せばストッパーが落ちて固定する。
【００１４】  本発明を使用するときは図１０のように本台座（１）を上向きにする。本留め糸補助糸（１２）を引いて、本留め糸（９）を緩める。スライド台座（３）で本の大きさに合わせる。表紙留めクリップ（１３）のクリップ把手（１６）を上げておき、本の表表紙と裏表紙を台座に置いて把手（１６）を倒して、表表紙と裏表紙を固定する。次に図７に示すように本留め糸（９）を見開き本に巻いて、本留め糸（９）の端部と本留め糸補助糸（１２）の端部を左右に引く。あまり強く締めないで緩めに締める。本留め糸（９）は締まって固定する。
本留め糸（９）の位置は適宜左右に移動調整できる。片手不自由な方で糸締めが出来ないときは、本留め糸（９）の短冊形の端部を歯に、本留め糸補助糸（１２）を手で引き合えば可能である。本のページ捲りは指一本で可能である。本留め糸補助糸（１２）を引けば糸は緩む。
【符号の説明】
【００１５】  １  本台座
２  台座側板
３  スライド台座
４  角形糸縛り棒
５  糸縛り棒金物
６  丸形糸縛り棒
７  バネ付ストッパー
８  ストッパー溝
９  本留め糸
１０  本留め糸ビーズ
１１  筒形ビーズ
１２  本留め糸補助糸
１３  表紙留めクリップ
１４  クリップ支点
１５  クリップバネ
１６  クリップ把手
１７  クリップ固定部
１８  Ａ６本範囲
１９  Ａ４本範囲
２０  底盤
２１  支柱
２２  腕木
２３  釣木
２４  回転軸
【図１】
2016016302.tif 000003
【図２】
2016016302.tif 000004
【図３】
2016016302.tif 000005
【図４】
2016016302.tif 000006
【図５】
2016016302.tif 000007
【図６】
2016016302.tif 000008
【図７】
2016016302.tif 000009
【図８】
2016016302.tif 000010
【図９】
2016016302.tif 000011
【図１０】
2016016302.tif 000012